(57)【要約】【課題】ラベル使用により余分なコストが必要であったり、美観が損なわれる。【解決手段】トレー本体１と、該トレー本体１の上方開口部を閉鎖し且つ鉢植え収容穴６、6a…が形成された天板７及び該天板７の外周部より下方へ垂下壁部８を連続形成した鉢植え収容体２とで鉢植え用トレーを構成する。鉢植え収容体２の垂下壁部８の表面に、鉢植え植物に関する情報の表示部９を設けると共に、トレー本体１の周壁部４に、上記表示部９の全てが納まる窓部５を形成することで、該窓部５を通して表示部９が見えるため、鉢植え植物用のラベルが不要になる。【選択図】図１
2008271904.tif 000002
【特許請求の範囲】
【請求項１】
底板の外周部に周壁部を一体形成したトレー本体と、該トレー本体の上方開口部を閉鎖し且つ鉢植え収容穴が形成された天板及び該天板の外周部より下方へ垂下壁部を連続形成した鉢植え収容体とで構成され、鉢植え収容体の垂下壁部の表面に、鉢植え植物に関する情報の表示部を設けると共に、トレー本体の周壁部に、上記表示部の全てが納まる窓部を形成したことを特徴とする鉢植え用トレー。
【発明の詳細な説明】
【技術分野】
【０００１】
本発明は、生産者から市場までの、或いは市場から販売店までの搬送時、販売店での陳列時に用いる鉢植え用トレーに関する。
【背景技術】
【０００２】
従来、上記鉢植え用トレーにあっては、格子状リブからなる底部の周縁部に沿って側壁部を立設したもの（例えば、特許文献１参照）や、方形状の基枠に対し縦横方向に等間隔で多数個の育苗鉢を収納する有底状の収納部を形成したもの（例えば、特許文献２参照）や、トレー本体と該トレー本体の上方開口部を被せて用いる孔あき蓋状体からなるもの（例えば、特許文献３参照）などが見受けられる。
【０００３】
【特許文献１】実開平５−２８９２３号公報（請求項１、図１）
【特許文献２】特開平７−１１５８４８号公報（請求項１、図１〜３）
【特許文献３】実開平５−６７１７５号公報（請求項１、図３）
【発明の開示】
【発明が解決しようとする課題】
【０００４】
しかし、上記従来技術にあっては、トレー自体に、収容状態の鉢植え植物に関する情報を表示可能な技術はないことから、生産者が各鉢植えに小さいラベルを植物に引っ掛けたり、鉢内の土に差し立てるか、或いは各鉢植えトレーの外側面に１枚の大きいラベルを添付せねばならず、よって前者の方法にあっては、生産者は、鉢植えの出荷に際し、ラベルを一鉢毎に添付する作業を行わねばならず、甚だ面倒で余分なコストがかかり、後者の方法にあっては、ラベル製造コスト自体は抑えられるが、トレー側に固定手段が無く糊付けにより添付せねばならないために作業性が悪く且つ商品としての美観を損なうなど、解決せねばならない課題があった。
【課題を解決するための手段】
【０００５】
本発明は、上記従来技術に基づく、ラベル使用により余分なコストが必要であったり、美観が損なわれる課題に鑑み、底板の外周部に周壁部を一体形成したトレー本体と、該トレー本体の上方開口部を閉鎖し且つ鉢植え収容穴が形成された天板及び該天板の外周部より下方へ垂下壁部を連続形成した鉢植え収容体とで構成され、鉢植え収容体の垂下壁部の表面に、鉢植え植物に関する情報の表示部を設けると共に、トレー本体の周壁部に、上記表示部の全てが納まる窓部を形成した鉢植え用トレーに鉢植えに鉢植えを収容することによって、鉢植え植物用のラベルを不要にして、上記課題を解決する。
【発明の効果】
【０００６】
要するに本発明は、底板の外周部に周壁部を一体形成したトレー本体と、該トレー本体の上方開口部を閉鎖し且つ鉢植え収容穴が形成された天板及び該天板の外周部より下方へ垂下壁部を連続形成した鉢植え収容体とで構成されたので、鉢植え収容穴の大きさ、個数及び配列が異なる鉢植え収容体を容易すれば、複数の鉢植えに対応させることが出来、又垂下壁部がトレー本体の周壁部に当たって天板の位置がずれないため、収容状態の鉢植えの位置ズレを防止することが出来る。
又、鉢植え収容体の垂下壁部の表面に表示部を設けたので、該表示部として、鉢植え植物の説明（品種、育て方など）、生産者の詳細な説明などの情報を表記すれば、従来のラベルの代わりとなるため、ラベルが不要になることによりその製造コスト、添付作業コストも不要にすることが出来、且つ美観の向上を図ることが出来、而もトレー本体の周壁部に、上記表示部の全てが納まる窓部を形成したので、表示部がトレー本体の周壁部に隠れず、全体を確実に視認することが出来る。
よって、市場での入札時、商品としての陳列時に、表示部で表示された、鉢植え植物の品種、育て方などの説明、生産者の詳細な説明などの情報の確認の容易化を図ることが出来る等その実用的効果甚だ大である。
【発明を実施するための最良の形態】
【０００７】
以下、本発明の一実施例を図面に基づき説明する。
図１は、本発明に係る鉢植え用トレーの斜視図であり、かかる鉢植え用トレーは、図２で示すトレー本体１内に、図３で示す鉢植え収容体２を収容したものである。
【０００８】
上記トレー本体１は、プラスチック製で、図２に示す様に、多孔板状の底板３と該底板３の外周部に一体形成した周壁部４とを有し、該周壁部４に大きい窓部５を形成している。
具体的には、矩形状の底板３と、上方且つ外方へ若干傾斜する４枚の側板4a、4b、4c、4dからなる周壁部４とを有し、４枚の側板4a、4b、4c、4dのうちの少なくとも１枚に上記窓部５が形成されている。
【０００９】
上記鉢植え収容体２は、紙製、望ましくは段ボール製のブランクＢを折り曲げて形成したもので、図３に示す様に、複数個の鉢植え収容穴６、6a…を形成した天板７と該天板７の外周部に一体形成した垂下壁部８とを有し、収容状態において、該垂下壁部８の下端を上記底板３の上面に当接させると共に、上記天板７の上面と上記周壁部４の上端面を略同レベルとしている。又、上記垂下壁部８に表示部９を印刷により設けて、該表示部９の全てが納まる様に上記窓部５の位置、大きさを設定し、かかる表示部９には、鉢植え植物Ａの品種及び育て方、生産者の説明などの情報が、文字、イラスト等で表示されている。
具体的には、図５に示す様な、矩形状の天板７の四辺部に、折罫線10、10a …を介して垂下板11、11a …を連続形成してブランクＢと成し、折罫線10、10a …にて天板７に対し垂下板11、11a …を折り下げて鉢植え収容体２と成している。
又、天板７における各鉢植え収容穴６、6a…の外周部に放射状の切れ目を入れることで、各鉢植え収容穴６、6a…の外周縁部に複数の係止片12、12a …が周設され、図４に示す様に、鉢植え収容穴６、6a…に上方より鉢植えＷ、Ｗａ…が収容されると、係止片12、12a …が、その先端が鉢植えＷ、Ｗａ…突設状態のまま基端側で屈曲して、鉢植え収容穴６、6a…内での鉢植えＷ、Ｗａ…の位置決めが成される。
【００１０】
尚、上記鉢植え収容体２の素材を紙（段ボール）にすれば、紙資源として再利用可能であるが、プラスチックとしても良く、この場合、販売終了後に生産者側に返却してそのまま再使用可能になる。
【００１１】
次に、本発明に係る鉢植え用トレーの作用について説明する。
トレー本体１内に鉢植え収容体２を収容し、該鉢植え収容体２の鉢植え収容穴６、6a…内に鉢植えＷ、Ｗａ…を収容するだけで、トレー本体１の窓部５を通して、鉢植え収容体２の表示部９を見ることが可能になる。
【図面の簡単な説明】
【００１２】
【図１】本発明に係る鉢植え用トレーの斜視図である。
【図２】トレー本体の斜視図である。
【図３】鉢植え収容体の斜視図である。
【図４】図１の鉢植え用トレーの使用状態を示す断面図である。
【図５】鉢植え収容体のブランクの斜視図である。
【符号の説明】
【００１３】
１        トレー本体
２        鉢植え収容体
３        底板
４        周壁部
５        窓部
６、6a…  鉢植え収容穴
７        天板
８        垂下壁部
９        表示部
【図１】
2008271904.tif 000003
【図２】
2008271904.tif 000004
【図３】
2008271904.tif 000005
【図４】
2008271904.tif 000006
【図５】
2008271904.tif 000007